(57)【要約】【課題】畝に沿って走行する作業行程における植生株の根元側の防除液散布について、簡易な構成により、広範囲な拡散によるドリフト効果が得られ、散布効率と防除機能を確保することができる散布作業車の散布装置を提供する。【解決手段】散布作業車の散布装置は、散布作業車１の機体前部に配置されて車幅方向に延びる支持杆２と、この支持杆２に取付けられて防除液を散布する上部散布器３と、この上部散布器３より下位位置まで下垂する下垂支持材４と、この下垂支持材４によって上部散布器３より下位位置に支持されて防除液を散布する下部散布器６とから構成され、上記下部散布器６は、その散布軸線Ａの方向が散布位置の内側方または外側方の範囲内で車幅方向に対して前側または後側に傾斜角度θを付けて配置する。【選択図】図３
2006075792.tif 000002
【特許請求の範囲】
【請求項１】
散布作業車（１）の機体前部に配置されて車幅方向に延びる支持杆（２）と、この支持杆（２）に取付けられて防除液を散布する上部散布器（３）と、この上部散布器（３）より下位位置まで下垂する下垂支持材（４）と、この下垂支持材（４）によって上部散布器（３）より下位位置に支持されて防除液を散布する下部散布器（６）とからなる散布作業車の散布装置において、
上記下部散布器（６）は、その散布軸線の方向が散布位置の内側方または外側方の範囲内で車幅方向に対して前側または後側に傾斜角度（θ）を付けて配置してなることを特徴とする散布作業車の散布装置。
【請求項２】
前記上部散布器（３）には、受けた防除液を分岐導出するための分岐口（８）を形成し、この分岐口（８）から前記下部散布器（６）に到る防除液供給路（７）を設けたことを特徴とする請求項１記載の散布作業車の散布装置。
【発明の詳細な説明】
【技術分野】
【０００１】
本発明は、畝に沿って走行する作業行程において大豆等の植生株に上方及び側方から防除液を散布する散布作業車の散布装置に関するものである。
【背景技術】
【０００２】
従来、散布作業車に備えられて大豆等の植生株に上方及び側方から防除液を散布する散布装置が知られている。例えば、特許文献１に示す散布装置は、散布作業車の機体前部に横断配置した支持杆に取付けた複数の上部散布器と、下垂支持材によって低位置に支持された下部散布器とを備えて構成される。この散布作業車の散布装置は、上部散布器が植生株の上方から、下部散布器が植生株の条間から植生株の根元側に機体走行とともに防除液を散布することができる。
【０００３】
しかし、下部散布器は、植生株の条間において、その側方の至近位置を通過する植生株に向かって防除液を散布噴出するので拡散範囲が狭くなり、十分なドリフト効果が得られないことから散布効率の低下を招くとともに、植生株の根元側の防除液散布が十分に行き渡らず、防除機能上の問題となっていた。
【特許文献１】特開２００３−２８４９８０号公報
【発明の開示】
【発明が解決しようとする課題】
【０００４】
解決しようとする問題点は、畝に沿って走行する作業行程における植生株の根元側の防除液散布について、簡易な構成により、広範囲な拡散によるドリフト効果が得られ、散布効率と防除機能を確保することができる散布作業車の散布装置を提供することにある。
【課題を解決するための手段】
【０００５】
請求項１に係る発明は、散布作業車の機体前部に配置されて車幅方向に延びる支持杆と、この支持杆に取付けられて防除液を散布する上部散布器と、この上部散布器より下位位置まで下垂する下垂支持材と、この下垂支持材によって上部散布器より下位位置に支持されて防除液を散布する下部散布器とからなる散布作業車の散布装置において、上記下部散布器は、その散布軸線の方向が散布位置の内側方または外側方の範囲内で車幅方向に対して前側または後側に傾斜角度を付けて配置してなることを特徴とする。
【０００６】
上記下部散布器は上部散布器より下位位置に下垂支持材によって支持され、その散布軸線が車幅方向より前側または後側に傾斜することから、防除液は下部散布器の側方の植生株までの距離より長い行程を経て散布軸線上の植生株に到達するとともに広い範囲に拡散される。したがって、上記散布作業車の散布装置は、植生株の根元側について、下部散布器の適正な散布距離によるドリフト効果による散布性能を簡易な構成によって確保することができる。
【０００７】
請求項２に係る発明は、請求項１の構成において、前記上部散布器には、受けた防除液を分岐導出するための分岐口を形成し、この分岐口から前記下部散布器に到る防除液供給路を設けたことを特徴とする。上記下部散布器は、上部散布器の分岐口から防除液供給路を介して防除液を受ける。
【発明の効果】
【０００８】
請求項１の散布作業車の散布装置の下部散布器は、上部散布器より下位位置に支持され、散布軸線が車幅方向より前側または後側に傾斜することから、防除液は下部散布器の側方の植生株までの距離より長い行程を経て散布軸線上の植生株に到達するとともに広い範囲に拡散される。したがって、上記散布作業車の散布装置は、植生株の根元側について、下部散布器の適正な散布距離によるドリフト効果による散布性能を簡易な構成によって確保することができるので、散布効率と散布精度を向上することができる。
【０００９】
請求項２の散布作業車の散布装置の上部散布器は、防除液供給系により加圧供給された防除液を受け、その防除液は上部散布器の分岐口から防除液供給路を介して下部散布器に供給される。したがって、下部散布器は、植生株の根元側について、上部散布器の防除液供給系を利用した簡易な構成により防除液を散布することができる。
【発明を実施するための最良の形態】
【００１０】
本発明の実施の形態について、以下に図面に基づいて詳細に説明する。
図１は、散布作業車に備える散布装置の要部を示す拡大正面図である。散布作業車の散布装置は、散布作業車１の機体前部に配置されて車幅方向に延びる支持杆であるセンターブーム２と、このセンターブーム２に取付けられて防除液を散布する上部散布器３と、この上部散布器３より下位位置まで下垂する下垂支持材４と、この下垂支持材４の下部に設けた取付部材５を介して上部散布器３より下位位置に支持されて防除液を散布する下部散布器６，６とから構成される。
【００１１】
詳細には、センターブーム２は、昇降可能な機体前部の前ヒッチにより高さ位置調節可能に取付けた自動水平調節機能を有するパイプ部材であり、上部散布器３を保持するとともに、図示せぬ防除液供給系によって加圧された防除液を受けつつ上部散布器３に防除液を供給する。上部散布器３は、その散布ノズル３ａの散布軸線を下方に向けてセンターブーム２にねじ込み固定し、かつ、受けた防除液を分岐導出するための分岐口８を形成して下部散布器６に到る防除液供給路７となるホースを接続する。この防除液供給路７は、図１におけるＡ矢視による拡大図を図２に示すように、上部散布器３の分岐口８にスイベル継手を介設して取出し角度調節が可能に連通する。この分岐口８のスイベル継手は、上部散布器３のねじ込み固定によりその取出し位置がどこにあっても、散布に支障を生じないように、ホースの取り回しの自由度を確保することができる。
【００１２】
上部散布器３をこのように構成することにより、上部散布器３に受けた防除液が分岐口８から防除液供給路７を介して下部散布器６に供給される。したがって、下部散布器６は、植生株Ｐの根元側について、上部散布器３の防除液供給系を利用した簡易な構成により防除液を散布することができる。
【００１３】
下垂支持材４は、センターブーム２に対して高さ調節可能に、かつ、上方まで旋回可能に取付け、その下端近傍の取付部材５により下部散布器６の散布軸線Ａを所定の方向に向けて固定する。下部散布器６は、防除液供給路７となるホースからＴ字状に分かれて２つのノズル６ａ，６ａを備え、それぞれのノズル６ａ，６ａをナックルにより上下に角度調節可能に構成する。これら２つのノズル６ａ，６ａの散布軸線Ａは、図３の散布方向を表す平面図に示すように、水平面内における基準となる散布軸線Ａの方向がその散布位置の内側方または外側方の範囲内で車幅方向に対して前側または後側に傾斜角度θを付けて下部散布器６を下垂支持材４に取付ける。
【００１４】
下部散布器６は、上述のように構成することにより、上部散布器３より下位位置に下垂支持材４によって支持され、その散布軸線Ａが車幅方向より前側または後側に所定の角度θで傾斜することから、防除液は下部散布器６の側方位置にある植生株までの距離より長い行程Ｌを経て散布軸線Ａ上の植生株Ｐに到達するとともに広い範囲に拡散される。したがって、上記散布作業車の散布装置は、条間寸法Ｓが７００ｍｍ前後の大豆等について畝Ｕに沿う方向Ｆに走行する防除作業において、植生株Ｐの根元側について、下部散布器６の適正な散布距離によるドリフト効果による散布性能を簡易な構成によって確保することができる。また、上下の角度調節により、上方の葉の裏面から根元までの各種の態様で防除液を散布することができる。
【００１５】
散布装置の全体構成は、図４の防除散布状態の要部正面図に示すように、散布作業車１の機体前部に配置したセンターブーム２と、その両側部に展開した左右のサイドブーム２ｓ、２ｓと、その外側端に、さらに展開可能なスライドブーム２ｔ、２ｔとを備えて構成され、多条畝Ｕ…の植生株Ｐ…に対して上方から散布する上部散布器３…と、根元側から散布する下部散布器６…を各ブームに備えて散布走行することにより、防除作業を行うことができる。
【００１６】
防除作業の終了時は、散布装置の収納状態の正面図および側面図をそれぞれ図５、図６に示すように、センターブーム２を非作業位置まで上昇保持するとともに、左右のサイドブーム２ｓ、２ｓ、スライドブーム２ｔ、２ｔをそれぞれの機体側部の収納位置に折りたたみ、また、センターブーム２の下部散布器６…は、リンク機構により上側旋回位置に保持することにより、移動走行と停留入庫に対応することができる。
【００１７】
次に、散布装置のシステム構成に付いて説明する。散布装置の機器構成は、接続系統図を図７に示すように、防除タンク１１から、防除ポンプ１２、流量制御ブロック１３、流量センサ１４、分岐ユニット１５を介して各ブーム２，２ｓ、２ｔと接続し、それぞれの散布器３…により防除散布可能に構成される。
【００１８】
防除タンク１１は機体１に搭載されて清水を充填収容する。この水は、給水コック、サクションフィルタを備える案内路１１ａを介して防除ポンプ１２の吸入側に案内される。防除ポンプ１２は、防除タンク１１から受けた水を吐出路１２ａにより流量制御ブロック１３に送るとともに、その一部を分岐して撹拌ホース１２ｂにより防除タンク１１に戻す。流量制御ブロック１３には、安全弁１３ａ、ポンプ付き薬液タンク１３ｂ、エアチャンバ１３ｃ、流量制御弁１３ｄを備え、ポンプ付き薬液タンク１３ｂからそのプランジャポンプにより充填薬液が清水流路中に流量に応じて吐出調節され、所定濃度に混合された防除液が流量制御弁１３ｄによって流量調節される。流量センサ１４は、防除液の流量を内設の螺旋状タービンにより検出し、このタービンにより防除液が均一に混合される。防除液分岐ユニット１５は、分岐する複数の系統別に噴霧コック１５ａ…を備え、各ブームに到るホース１５ｂ…を介して選択散布可能に構成するとともに、接続口１５ｃに圧力センサを取付ける。
【００１９】
上記構成の散布装置は、防除タンク１１に清水を充填する方式であることから、従来の如くの所定濃度の防除液を充填する防除液充填方式による散布作業と比べ、散布終了後において、タンクから防除液を抜いて清水による洗浄運転を要することなく、ポンプ付き薬液タンク１３ｂの薬液吐出を停止して清水散布することにより、装置の機器および配管から防除液を抜いて効率的に清水洗浄することができる。また、防除液充填前の混合溶解および散布作業中のタンク内撹拌を要することなく、簡易に防除液の濃度管理ができるとともに、泥炭質の湿田等による機体沈没状態において、防除タンク１１の水抜きにより、防除液の集中排出による薬害を招くことなく、機体を簡易に脱出することができる。
【００２０】
次に、機体後部に散布する散布装置の構成例について説明する。散布作業車の平面図を図８に示すように、後輪２２，２２より後方の機体後部にリヤブーム２１を取付け、後輪２２，２２の通過位置に防除液を散布するべく、左右の散布器２３，２３を後輪２２，２２の位置と対応して配置する。この散布装置の機器構成は、接続系統図を図９に示すように、分岐ユニット１５からセンターブーム２に到るホース１５ｂの途中からリヤブーム２１に到るホース１５ｄを分岐し、このホース１５ｄに介設する噴霧コック１５ｅを運転席からオペレータが操作可能な位置に配置する。
【００２１】
上記構成のリヤブーム２１の散布器２３，２３により、センターブーム２を付け替える煩わしさを要することなく、後輪２２，２２の走行跡に防除液を高精度で散布することができるので、除草剤の散布に際して後輪２２，２２の走行跡を含む一様な除草剤散布が可能となる。また、リヤブーム２１の散布器２３，２３の使用は、除草剤の散布に限られることから、防除内容に応じて、オペレータが運転席から降りることなく、リヤブーム２１による散布のオンオフを容易に操作することができる。
【図面の簡単な説明】
【００２２】
【図１】散布作業車に備える散布装置の要部を示す拡大正面図である。
【図２】図１におけるＡ矢視による拡大図である。
【図３】下部散布器の散布方向を表す平面図である。
【図４】散布装置の防除散布状態の要部正面図である。
【図５】散布装置の収納状態の正面図である。
【図６】散布装置の収納状態の側面図である。
【図７】散布装置の機器構成接続系統図である。
【図８】機体後部に散布する散布作業車の平面図である。
【図９】散布装置の機器構成接続系統図である。
【符号の説明】
【００２３】
１    散布作業車（機体）
２    センターブーム（支持杆）
２ｓ    サイドブーム
３    上部散布器
３ａ    ノズル
４    下垂支持材
５    取付部材
６    下部散布器
６ａ    ノズル
７    防除液供給路（ホース）
８    分岐口
Ａ    散布軸線
Ｐ    植生株
Ｓ    条間寸法
Ｕ    畝
θ    傾斜角度
【図１】
2006075792.tif 000003
【図２】
2006075792.tif 000004
【図３】
2006075792.tif 000005
【図４】
2006075792.tif 000006
【図５】
2006075792.tif 000007
【図６】
2006075792.tif 000008
【図７】
2006075792.tif 000009
【図８】
2006075792.tif 000010
【図９】
2006075792.tif 000011